(57)【要約】【課題】机上においてスペースをとらず、スペースを有効活用することができるプリンタを提供すること。【解決手段】机上において用いるプリンタ１００は、筐体１０３が壁状の縦型形状であり、前記筐体１０３がパーティションとして机上を空間的に分割する。また、異なるサイズの用紙Ｐを給紙する給紙トレイ１０４を用紙サイズごとに備え、それぞれのサイズの用紙を選択して印刷できる。これにより、机上のスペースを取らないとともに、パーティションとして機能するので、略連続する机上を当該プリンタで区切ってユーザのパーソナルスペースを構築でき、机上のスペースを有効活用することができる。【選択図】        図４
2005280177.tif 000002
【特許請求の範囲】
【請求項１】
筐体が壁状の縦型形状であり、前記筐体がパーティションとして机上を空間的に分割することを特徴とするプリンタ。
【請求項２】
さらに、異なるサイズの用紙を給紙する給紙手段を用紙サイズごとに備え、それぞれのサイズの用紙を選択して印刷することを特徴とする請求項１に記載のプリンタ。
【請求項３】
異なるサイズの用紙の給紙パスが並行に設けられ、両方の給紙パスに渡って印刷領域を有する単一の印刷ヘッドを備えたことを特徴とする請求項１または２に記載のプリンタ。
【請求項４】
前記異なるサイズの用紙は、小さい用紙が大きい用紙の半分以下であることを特徴とする請求項２または３に記載のプリンタ。
【請求項５】
前記筐体の両面または片面をメモボードとしたことを特徴とする請求項１〜４のいずれか一つに記載のプリンタ。
【請求項６】
前記筐体の両面または片面をホワイトボードとしたことを特徴とする請求項１〜４のいずれか一つに記載のプリンタ。
【請求項７】
前記印刷ヘッドは、前記異なるサイズの用紙に対して同時に印刷をおこなうことを特徴とする請求項２〜６のいずれか一つに記載のプリンタ。
【請求項８】
さらに、筐体の両側に排紙口を有し、印刷命令を出したユーザ側に位置する前記排紙口から排紙する排紙手段を有することを特徴とする請求項１〜７のいずれか一つに記載のプリンタ。
【請求項９】
さらに、筐体の上部に排紙口を有することを特徴とする請求項１〜７のいずれか一つに記載のプリンタ。
【発明の詳細な説明】
【技術分野】
【０００１】
この発明は、机上において用いるプリンタに関する。
【背景技術】
【０００２】
通常、オフィスや学校ではプリンタは数名で共用となるが、各個人にそれぞれインクジェットプリンタのようなパーソナルプリンタが配置されることも多い。パーソナルプリンタを用いれば、仕事中に共用のプリンタまで、排紙した書類を取りにいく手間が省けるし、機密性の高いあるいは個人的な書類を他人に見られ難いという利点がある（たとえば特許文献１参照。）。
【０００３】
【特許文献１】特開２００２−３５６０３６号公報
【発明の開示】
【発明が解決しようとする課題】
【０００４】
しかしながら、従来のパーソナルプリンタは、机上のスペースに対して筐体が割合に大きい上、頻繁に用いるものでもないため、使用していないときはその存在が邪魔になることが多い。特に、坪単価の高い賃貸オフィスや、ソーホーなどのスモールオフィスにとっては大きな問題である。その一方、プリンタを机の下に設置した場合、排紙した書類を取り出し難い上、プリント用紙をセットが困難になる。
【０００５】
そこで、この発明は、上記に鑑みてなされたものであって、机上においてスペースを有効活用することができるプリンタを提供することを目的とする。
【課題を解決するための手段】
【０００６】
上記目的を達成するため、この発明にかかるプリンタは、筐体が壁状の縦型形状であり、前記筐体がパーティションとして机上を空間的に分割することを特徴とする。
【０００７】
このプリンタは、机上のスペースを取らないとともに、パーティションとして機能するので、略連続する机上を当該プリンタで区切ってユーザのパーソナルスペースを構築でき、机上のスペースを有効活用することができる。
【０００８】
また、この発明にかかるプリンタは、上記発明において、さらに、異なるサイズの用紙を給紙する給紙手段を用紙サイズごとに備え、それぞれのサイズの用紙を選択して印刷することを特徴とする。
【０００９】
異なるサイズの用紙を用いることができれば、印刷目的に応じて用紙を選択できる。たとえば一般書類の印刷には通常の用紙でよいが、メールアドレスや電話番号などのメモ程度のものであれば、小さい用紙が好適である。
【００１０】
また、この発明にかかるプリンタは、上記発明において、異なるサイズの用紙の給紙パスが並行に設けられ、両方の給紙パスに渡って印刷領域を有する単一の印刷ヘッドを備えたことを特徴とする。
【００１１】
両方の給紙パスに渡って印刷領域を有する印刷ヘッドを用いれば、単一の印刷ヘッドにより異なるサイズの用紙に印刷できる。このため、プリンタの構造が簡単になる。
【００１２】
また、この発明にかかるプリンタは、上記発明において、前記異なるサイズの用紙は、小さい用紙が大きい用紙の半分以下であることを特徴とする。
【００１３】
また、この発明にかかるプリンタは、上記発明において、前記筐体の両面または片面をメモボードとしたことを特徴とする。
【００１４】
壁状の縦型プリンタによりパーティションを構成した場合、その面をメモボードとして用いれば便利であるし、別途メモボードを用意しなくてもよい。
【００１５】
また、この発明にかかるプリンタは、上記発明において、前記筐体の両面または片面をホワイトボードとしたことを特徴とする。
【００１６】
壁状の縦型プリンタによりパーティションを構成した場合、その面をホワイトボードとして用いれば便利であるし、別途ホワイトボードを用意しなくてもよい。
【００１７】
また、この発明にかかるプリンタは、上記発明において、前記印刷ヘッドは、前記異なるサイズの用紙に対して同時に印刷をおこなうことを特徴とする。
【００１８】
印刷ヘッドは、前記給紙パスが並行に設けられておりかつその両方に渡って当該印刷ヘッドが印刷領域を有するので、異なる用紙に対して同時に印刷できる。
【００１９】
また、この発明にかかるプリンタは、上記発明において、さらに、筐体の両側に排紙口を有し、印刷命令を出したユーザ側に位置する前記排紙口から排紙する排紙手段を有することを特徴とする。
【００２０】
印刷命令を出したユーザ側に排紙することで、印刷した用紙を取り易くかつ反対側のユーザに内容が知られない。
【００２１】
また、この発明にかかるプリンタは、上記発明において、さらに、筐体の上部に排紙口を有することを特徴とする。
【００２２】
上部に排紙口を設ければ、プリンタ両側のユーザが用紙を取り出すことができる。
【発明を実施するための最良の形態】
【００２３】
以下、この発明につき図面を参照しつつ詳細に説明する。なお、この実施例によりこの発明が限定されるものではない。また、以下に示す実施例の構成要素には、当業者が置換可能かつ容易なもの、あるいは実質的同一のものが含まれる。
【実施例１】
【００２４】
図１および図２は、この発明の実施例１にかかるプリンタを示す斜視図である。このプリンタ１００は、壁状縦型のプリンタでありかつ略連続する机上スペースを２つに分割するパーティションとして機能する。すなわち、従来のプリンタが机上で邪魔になることが多いため、このプリンタ１００は、縦型にして机上のプリンタの占有領域を小さくするとともに、パーティションとして用いることでユーザのパーソナルスペースを確保している。また、このプリンタ１００は、高さ５０ｃｍ、幅６０ｃｍ、厚さ７ｃｍ程度である。なお、プリンタ１００の寸法は、これに限定されず、必要に応じて寸法を設定すればよい。
【００２５】
また、プリンタ１００の両面は、内部に薄い軟質材が入った布張り面（メモボード）１を有する。このメモボード１により、ユーザはメモ２などを押しピンで貼り付けることができる。また、机上のメモボード用のスペースを省略できる。また、当該メモボード１は、コルク面、フックを取り付けられるパンチングや凹凸面、付箋紙が貼れる平滑面などであってもよい。
【００２６】
また、図示は省略するが、メモボードの代わりにホワイトボードを備えていてもよい。その場合、一方の面をメモボードとし、他方の面をホワイトボードとすることもできる。また、片面を、メモボードとホワイトボードで（たとえば半分ずつ）共有するようにしてもよい。また、これらのメモボードおよびホワイトボードは、プリンタ１００の本体から着脱可能であり、ユーザの用途に応じて付け替えて利用することができる。
【００２７】
また、当該プリンタ１００は、下部両側の排紙口７から用紙を排紙できる。具体的な構成は後述するが、プリンタ１００の両側にいるユーザは、自分のワークスペース側から用紙Ｐを取ることができる。また、各ユーザ側に自己の用紙Ｐが排紙されることで、印刷内容が隣りのユーザに知られにくい。また、プリンタ１００の上部には、給紙トレイ１０４ａ，１０４ｂが設けられている。この給紙トレイ１０４ａ，１０４ｂには大小異なるサイズの用紙Ｐ１，Ｐ２（Ｐ２はたとえばカット紙の給紙カートリッジあるいはロール紙のカートリッジである）がストックされる。
【００２８】
図３は、具体的な当該プリンタ１００の使用状態を示す説明図である。このように、連続する机上ＤのユーザＵ同士の境に当該プリンタ１００を配置する。これにより、パーティション機能をもったプリンタ１００により、連続する机上Ｄが分割され、ユーザごとにパーソナルスペースが形成される。つぎに、当該プリンタ１００は、両側に排紙できるから、両側のユーザＵは用紙Ｐを容易に取ることができる。また、パーティションにより区切られておりかつ両側に用紙Ｐが排紙されるので、隣りのユーザＵに自分の印刷内容を見られ難い。
【００２９】
図４および図５は、図１〜図３に示したプリンタを示す構成図である。当該プリンタ１００は、大小異なるサイズの用紙Ｐ１，Ｐ２を給紙する給紙パス１０１，１０２を２つ有する。また、当該プリンタ１００は、筐体１０３上部に開口しかつ用紙Ｐをストックする給紙トレイ１０４と、給紙トレイ１０４の下部に配置されたオートシートフィーダ（ＡＳＦ）ローラ１０５と、ＡＳＦローラ１０５に続くガイド部１０６と、一対の用紙送りローラ１０７，１０７と、この用紙送りローラ１０７，１０７の間に配置されかつ各給紙パス１０１，１０２で共用でかつインクを吐出させて印刷動作をおこなう印刷ヘッド１０８と、その下方に設けたガイド部１０９と、排紙方向を選択するフラップ１１０とを有する。
【００３０】
ＡＳＦローラ１０５の対向面には用紙押え１１１が設けられている。ＡＳＦローラ１０５はＡＳＦモータ１１２により駆動され、一対の用紙ローラ１０７，１０７は用紙送りモータ１１３により駆動される。フラップ１１０は排紙方向制御モータ１１４により駆動される。なお、ＡＳＦローラ１０５、用紙送りローラ１０７，１０７および排紙方向制御モータ１１４の配置および個数などは、プリンタ１００の大きさなどにより決まるので当該実施例に限定されるものではない。
【００３１】
前記印刷ヘッド１０８は、オンデマンド型のインクジェット式であり、ノズル内部のインクを局部的に加熱し発生する気泡圧によりインクを吐出する方法、ノズル内のインクを圧電素子で加圧してインクを吐出する方法などの任意の方式を採用できる。また、印刷ヘッド１０８は、図示しないキャリッジに保持されかつ黒色および複数色のインクカートリッジを有する。
【００３２】
既述したように、前記給紙パス１０１，１０２は大小異なるサイズの用紙Ｐごとに２つ並列に設けられ、各給紙パス１０１，１０２は、各サイズ用の給紙トレイ１０４ａ，１０４ｂ、ＡＳＦローラ１０５ａ，１０５ｂおよび用紙送りローラ１０７ａ，１０７ｂを一組有する。すなわち、この給紙トレイ１０４は筐体１０３上部に設けた２つの給紙トレイ１０４ａ，１０４ｂに異なるサイズの用紙Ｐ１，Ｐ２をそれぞれストックしておき、印刷時にユーザが用紙Ｐ１，Ｐ２を選択できるようになっている。
【００３３】
具体的には図５に示すように、Ａ４サイズなどの一般的な書類用の用紙Ｐ１の給紙パス１０１と、一般的書類用の用紙Ｐ１よりも小さい（たとえば、少なくとも半分以下）、ロール紙や、Ａ７、Ｂ６、ハガキ、写真サイズなどの用紙Ｐ２の給紙パス１０２とが形成され、必要に応じて印刷する用紙Ｐのサイズを選択する。たとえば、Ａ４サイズの用紙Ｐ１は通常の書類作成に用いるが、それより小さいサイズの用紙Ｐ２は、メモ程度の情報を出力するのに好適である。
【００３４】
このため、小さいサイズの用紙Ｐ２は、大きいサイズの用紙Ｐ１の半分以下であるのが好ましい。たとえば、小さいサイズの用紙Ｐ２は、他人に渡すための連絡事項を印刷したり、インターネットのＵＲＬ、電子メールアドレス、住所または居所、電話番号、ＦＡＸ番号、簡単な地図などを印刷するのに好適である。そして、小さいサイズの用紙Ｐ２に印刷した場合、図１および図２に示すように、その用紙Ｐ２をプリンタ１００の両面に貼り付けることができる。
【００３５】
また、両方の大小の用紙Ｐ１，Ｐ２は同一の印刷ヘッド１０８により印刷される。図５に示すように、印刷ヘッド１０８を有するキャリッジ１１５は、給紙パス１０１，１０２の方向に対して直角な方向に設けられたガイド軸１１６により、左右移動可能となる。移動方式は、ヘッド移動モータと、その回転を前記ガイド軸に平行に配置するとともにその一部をキャリッジ１１５に固定してあるタイミングベルトと、によりおこなう（図示省略）。このほか、ボールネジのナット部にキャリッジ１１５を固定し、ネジをモータにより回転制御するようにしてもよい（図示省略）。このように、印刷ヘッド１０８の移動範囲を２つの用紙の給紙パス１０１，１０２に渡り設ければ、一つのヘッドで２つの用紙Ｐ１，Ｐ２に印刷できる（印刷範囲Ｗ）。また、大小の用紙Ｐ１，Ｐ２に対して同時に印刷をおこなうこともできる。
【００３６】
また、用紙選択をおこなうフラップ１１０は、プリンタ１００の下部両側に設けた排紙口７内に位置し、フラップ１１０が回転することで第１排紙方向および第２排紙方向を選択する。すなわち、このフラップ１１０は板状体を長手方向に湾曲させて断面が円弧形状となりかつその板状体の長手方向中央に回転軸が形成されるとともに回転軸端部に排紙方向制御モータ１１４が取り付けられる。
【００３７】
また、このフラップ１１０は、図４の実線で示した位置と点線で示した位置との間で回転し排紙方向を選択する。いずれの場合もフラップ１１０の端部がガイド部１０９の下端近傍に位置して用紙Ｐのガイドをスムーズにおこない、その形状に略沿って用紙Ｐを湾曲させつつ所定方向に排紙するようになる。かかる構成のフラップ１１０によれば、簡単に構成でき、かつ揺動することで排紙方向を容易に切り換えることができる。
【００３８】
当該プリンタ１００では、その各部を統轄制御するため、ＣＰＵ（Ｃｅｎｔｒａｌ  Ｐｒｏｃｅｓｓｉｎｇ  Ｕｎｉｔ）１２１、ＲＯＭ（Ｒｅａｄ  Ｏｎｌｙ  Ｍｅｍｏｒｙ）１２２、主記憶装置として働くＲＡＭ（Ｒａｎｄｏｍ  Ａｃｃｅｓｓ  Ｍｅｍｏｒｙ）１２３とがバスを介して接続され、コンピュータ構成の制御機構であるプリントコントローラ１２０を構成する。
【００３９】
ユーザのコンピュータＣから送られてきた印刷命令データは、インタフェース装置１２４からバスを介して、プリントコントローラ１２０に伝えられる。プリントコントローラ１２０は、前記印刷ヘッド１０８を制御するとともに、印刷動作時の用紙送りにかかる用紙送りローラ１０７，１０７や、給紙トレイ１０４から用紙を給紙パス１０１，１０２内に送り込むためのＡＳＦモータ１１２の駆動制御などをおこなう。また、プリントコントローラ１２０は、排紙方向を選択制御する排紙方向制御モータ１１４を駆動制御する。
【００４０】
図６は、このプリンタの動作を示すフローチャートである。このプリンタ１００では、あらかじめ前記２つの異なるサイズの給紙トレイ１０４ａ，１０４ｂに２つの異なる用紙Ｐ１，Ｐ２をストックしておく。つぎに、ユーザは自分のコンピュータＣから所望の書類の印刷命令をおこなう（ステップＳ１）。このとき、図示しないコンピュータＣの印刷画面には、所定の用紙Ｐ（トレイ１０４ａ，１０４ｂ）を選択するボタンが表示され、ユーザはその画面において印刷する用紙Ｐを選択する（ステップＳ２）。続いて、印刷命令をコンピュータＣからプリンタ１００に送信する。
【００４１】
一方、プリンタ１００では、当該プリンタ１００を使用するユーザ情報に基づき自動的に排紙方向を選択する（ステップＳ３）。具体的には、プリンタ１００が印刷命令を出しているコンピュータＣを認識しているから、当該情報に基づいて排紙方向を選択する。排紙方向が選択されたら、その排紙方向に用紙を排紙できるように前記フラップ１１０が回転する。そして、この状態で印刷を実行する（ステップＳ４）。
【００４２】
たとえば、ユーザがＡ４の用紙Ｐ１を選択した場合、プリンタ１００のＡ４用紙側の第１の給紙パス１０１のＡＳＦローラ１０５ａ、用紙送りローラ１０７ａが駆動制御される。また、印刷ヘッド１０８の印刷領域Ｗ１が第１の給紙パス１０１を含んだ領域のみとなる。一方、ユーザがロール紙Ｐ２を選択した場合、プリンタ１００のロール紙側の第２の給紙パス１０２のＡＳＦローラ１０４ｂ、用紙送りローラ１０７ｂが駆動制御される。
【００４３】
また、印刷ヘッド１０８の印刷領域Ｗ２が第２の給紙パス１０２を含んだ領域のみとなる。また、ユーザがＡ４の用紙Ｐ１とロール紙Ｐ２との両方を選択した場合、第１の給紙パス１０１および第２の給紙パス１０２の両方のＡＳＦローラ１０４ａ，１０４ｂ、用紙送りローラ１０７ａ，１０７ｂが駆動制御される。また、印刷ヘッド１０８の印刷領域Ｗ３は第１の給紙パス１０１および第２の給紙パス１０２を含んだ領域となる。
【００４４】
給紙パス１０１，１０２に沿って送られた用紙Ｐ１，Ｐ２は、印刷ヘッド１０８により所定内容を印刷され、プリンタ下部のガイド部１０９から下に移動する。フラップ１１０は、このガイド部１０９から降りてくる用紙Ｐ１，Ｐ２を第１排紙方向にガイドして排紙する。一方、図４の点線で示した方向にフラップ１１０が向いている場合、ガイド部１０９から降りてくる用紙Ｐ１，Ｐ２は、第２排紙方向にガイドされ、排紙される。なお、ロール紙Ｐ２の場合のみ、図示しないカッターにより切断された状態で排紙される。
【００４５】
以上のプリンタ１００は、パーティションとして機能するので、略連続する机上をプリンタで区切ってユーザのパーソナルスペースを構築でき、机上のスペースを取らない。また、印刷を実行しているユーザ側に排紙するので、印刷した用紙を取り易くかつ反対側のユーザに内容が知られ難い。
【実施例２】
【００４６】
図７は、この発明の実施例２にかかるプリンタを示す斜視図である。なお、実施例１と共通の構成については説明は省略している部分がある。このプリンタ２００は、異なるサイズの用紙Ｐ１，Ｐ２をそれぞれ上側に排紙する構成である。このプリンタ２００は、実施例１と同様、縦型のプリンタでありかつ略連続する机上スペースを２つに分割するパーティションとして機能する。すなわち、従来のプリンタが机上で邪魔になることが多いため、これを縦型にして机上のプリンタの占有領域を小さくするとともに、パーティションとして用いることでユーザのパーソナルスペースを確保している。
【００４７】
このプリンタ２００は、高さ５０ｃｍ、幅６０ｃｍ、厚さ７ｃｍ程度であるが、これに限定されない。また、プリンタ２００の両面は、内部に薄い軟質材が入った布張り面２５１になっている。これにより、ユーザはメモ２５２などを押しピンで貼り付けることができる。これにより、机上のメモボードのスペースを省略できる。また、当該面は、コルク面、フックを取り付けられるパンチングや凹凸面、付箋紙が貼れる平滑面などであってもよい。実施例１と同様に、ホワイトボードとしてもよい。
【００４８】
また、プリンタ２００の上部には、給紙トレイ２０４ａ，２０４ｂが設けられている。この給紙トレイ２０４ａ，２０４ｂには大小異なるサイズの用紙Ｐ１，Ｐ２がストックされる。また、当該プリンタ２００は上部から用紙Ｐ１，Ｐ２を排紙できる。具体的な構成は後述するが、上部から排紙することで、両側のユーザはそれぞれ自分のワークスペース側から書類を取り上げることができる。
【００４９】
また、上部排紙時に用紙Ｐを全て排紙するのではなく、上部の排紙トレイ２１０に保持できるように、ある程度当該排紙トレイ２１０内に収まった状態で排紙する。換言すれば、用紙Ｐの上端のみが排紙トレイ２１０から露出しており、その他は排紙トレイ２１０内に収まっている。これにより、ユーザは、用紙が排紙されたことを確認できるとともに、印刷された情報を他人が見ることがない。
【００５０】
図８は、具体的な当該プリンタの使用状態を示す説明図である。このように、連続する机上ＤのユーザＵ同士の境に当該プリンタ２００を配置する。これにより、連続する机上Ｄがパーティション機能をもったプリンタ２００により分割されて、ユーザＵごとにパーソナルスペースが形成される。つぎに、当該プリンタ２００は、その上部に排紙できるから両側のユーザＵはそれぞれ容易に排紙された用紙Ｐを取り上げることができる。上部に排紙する場合に、用紙Ｐの上端のみ露出するようにすれば、印刷内容を他人が見ることはない。
【００５１】
図９および図１０は、図７および図８に示したプリンタを示す構成図である。当該プリンタ２００は、大小異なるサイズの用紙Ｐ１，Ｐ２を給紙する給紙パス２０１，２０２を２つ有する。また、このプリンタ２００は、筐体２０３上部に開口しかつ用紙をストックする給紙トレイ２０４と、給紙トレイ２０４の下部に配置されたＡＳＦローラ２０５と、ＡＳＦローラ２０５に続くガイド部２０６と、一対の用紙送りローラ２０７，２０７と、この用紙送りローラ２０７，２０７の間に配置されかつ各給紙パス２０１，２０２で共用の印刷ヘッド２０８と、その下方に設けられ用紙Ｐ１，Ｐ２の移動を上下逆方向にする湾曲したガイド部２０９，２１８と、複数の用紙送りローラ２１７と、排紙ローラ２１９とを有する。ＡＳＦローラ２０５の対向面には用紙押え２１１が設けられている。
【００５２】
ＡＳＦローラ２０５はＡＳＦモータ２１２により駆動され、一対の用紙送りローラ２０７，２０７は用紙送りモータ２１３により駆動される。排紙ローラ２１９は排紙モータ２１４により駆動される。なお、ＡＳＦローラ２０５、用紙送りローラ２０７および排紙ローラ２１９の配置および個数などは、プリンタ２００の大きさなどにより決まるので当該実施例に限定されない。また、排紙ローラ２１９は排紙トレイ２１０の下部に設けられており、この排紙ローラ２１９により排紙トレイ２１０内に用紙Ｐが確実に排紙される。そして、この排紙トレイ２１０の深さにより上部に露出する用紙Ｐの量が決まる。
【００５３】
前記印刷ヘッド２０８はオンデマンド型のインクジェット式であり、ノズル内部のインクを局部的に加熱し発生する気泡圧によりインクを吐出する方法、ノズル内のインクを圧電素子で加圧してインクを吐出する方法などの任意の方式を採用できる。また、印刷ヘッド２０８は、図示しないキャリッジに保持されかつ黒色および複数色のインクカートリッジを有する。
【００５４】
既述したように、前記給紙パス２０１，２０２は大小異なるサイズの用紙Ｐ１，Ｐ２ごとに２つ並列に設けられ、各給紙パス２０１，２０２は、各サイズ用の給紙トレイ２０４ａ，２０４ｂ、ＡＳＦローラ２０５ａ，２０５ｂ、用紙送りローラ２０７ａ，２０７ｂおよび排紙ローラ２１９ａ，２１９ｂを一組有する。すなわち、この給紙トレイ２０４ａ，２０４ｂは筐体２１３の上部に設けた２つの給紙トレイ２０４ａ，２０４ｂに異なるサイズの用紙Ｐ１，Ｐ２をそれぞれストックしておき、印刷時にユーザが用紙Ｐを選択できるようになっている。
【００５５】
具体的には図１０に示すように、Ａ４サイズの用紙Ｐ１の給紙パス２０１と、ロール紙や、Ａ７、Ｂ６、ハガキ、写真サイズなどのＡ４よりも小さいサイズの用紙Ｐ２の給紙パス２０２とが形成され、必要に応じて印刷する用紙のサイズを選択する。たとえば、Ａ４サイズの用紙Ｐ１は通常の書類作成に用いるが、それより小さいサイズの用紙Ｐ２は、メモ程度の情報を出力するのに用いる。このため、小さいサイズの用紙Ｐ２は、大きいサイズの用紙Ｐ１の半分以下であるのが好ましい。たとえば、このため、小さいサイズの用紙Ｐ２は、他人に渡すための連絡事項を印刷したり、インターネットのＵＲＬ、電子メールアドレス、住所または居所、電話番号、ＦＡＸ番号、簡単な地図などを印刷するのに好適である。そして、小さいサイズの用紙Ｐ２に印刷した場合、図７に示すように、その用紙Ｐ２をプリンタ２００の両面に貼り付けることができる。
【００５６】
また、両方の大小の用紙Ｐ１，Ｐ２は同一の印刷ヘッド２０８により印刷される。図１０に示すように、印刷ヘッド２０８を有するキャリッジ２１５は、給紙パス２０１，２０２の方向に対して直角な方向に設けられたガイド軸２１６により、左右移動可能となる。移動方式は、ヘッド移動モータと、その回転を前記ガイド軸に平行に配置するとともにその一部をキャリッジ２１５に固定してあるタイミングベルトとによりおこなう（図示省略）。このほか、ボールネジのナット部にキャリッジを固定し、ネジをモータにより回転制御するようにしてもよい（図示省略）。このように、印刷ヘッド２０８の移動範囲を２つの用紙Ｐ１，Ｐ２の給紙パス２０１，２０２に渡り設ければ、一つの印刷ヘッド２０８で２つの用紙ｐ１，Ｐ２に印刷できる。また、大小の用紙Ｐ１，Ｐ２に対して同時に印刷をおこなうこともできる。
【００５７】
筐体２１３の上部に設けた排紙トレイ２１０は異なる大小の用紙Ｐ１，Ｐ２ごとに設けられ、当該排紙トレイ２１０の深さは用紙Ｐ１，Ｐ２の長さより短いものとする。このようにすれば、排紙時に用紙Ｐ１，Ｐ２の上端のみが筐体２１３から露出するので、ユーザは印刷したことを確認できかつ他のユーザは印刷内容を見ることができない。なお、用紙Ｐ１，Ｐ２の上端のみ露出する方式は、排紙トレイ２１０の深さを用紙Ｐの長さより短くなるように設定することに限定されない。たとえば、排紙ローラ２１９により露出量を制御するようにしてもよい（この実施例については後述する）。
【００５８】
つぎに、当該プリンタ２００では、その各部を統轄制御するため、ＣＰＵ２２１、ＲＯＭ２２２、主記憶装置として働くＲＡＭ２２３とがバスを介して接続され、コンピュータ構成の制御機構であるプリントコントローラ２２０を構成する。
【００５９】
コンピュータＣから送られてきた印刷命令は、インタフェース装置２２４からバスを介して、プリントコントローラ２２０に伝えられる。プリントコントローラ２２０は、用紙送りモータ２１３、ＡＳＦモータ２１２および排紙モータ２１４の駆動制御などをおこなう。
【００６０】
図１１は、このプリンタの動作を示すフローチャートである。このプリンタ２００では、あらかじめ前記２つの異なるサイズの給紙トレイ２０４ａ，２０４ｂに２つの異なる用紙Ｐ１，Ｐ２をストックしておく。つぎに、ユーザは自分のコンピュータＣから所望の書類の印刷命令をおこなう（ステップＳ１）。このとき、図示しないコンピュータＣの印刷画面には、所定の用紙Ｐ（給紙トレイ２０４ａ，２０４ｂ）を選択するボタンが表示され、ユーザはその画面において印刷する用紙Ｐを選択する（ステップＳ２）。続いて、印刷命令をコンピュータＣからプリンタ２００に送信し、印刷を実行する（ステップＳ３）。
【００６１】
たとえば、ユーザがＡ４の用紙Ｐ１を選択した場合、プリンタ２００のＡ４用紙側の第１の給紙パス２０１のＡＳＦローラ２０５ａ、用紙送りローラ２０７ａが駆動制御される。また、印刷ヘッド２０８の印刷領域Ｗ１が第１の給紙パス２０１を含んだ領域のみとなる。一方、ユーザがロール紙Ｐ２を選択した場合、プリンタ２００のロール紙側の第２の給紙パス２０２のＡＳＦローラ２０５ｂ、用紙送りローラ２０７ｂが駆動制御される。
【００６２】
また、印刷ヘッド２０８の印刷領域Ｗ２が第２の給紙パス２０２を含んだ領域のみとなる。また、ユーザがＡ４の用紙Ｐ１とロール紙Ｐ２との両方を選択した場合、第１の給紙パス２０１および第２の給紙パス２０２の両方のＡＳＦローラ２０５ａ，２０５ｂ、用紙送りローラ２０７ａ，２０７ｂが駆動制御される。また、印刷ヘッド２０８の印刷領域Ｗ３は第１の給紙パス２０１および第２の給紙パス２０２を含んだ領域となる。
【００６３】
給紙パス２０１，２０２に沿って送られた用紙Ｐ１，Ｐ２は、印刷ヘッド２０８により所定内容を印刷され、プリンタ２００の下部の湾曲したガイド部２０９を通って反転させられる。続いて、用紙Ｐ１，Ｐ２は、用紙送りローラ２１７、ガイド部２１８により上方に移動される。そして、排紙トレイ２１０に排紙される。なお、ロール紙の場合、図示しないカッターにより切断された状態で排紙される。この排紙時、用紙Ｐ１，Ｐ２はその上端のみ筐体２１３から露出した状態で排紙トレイ２１０内にストックされる。
【００６４】
以上のプリンタ２００は、パーティションとして機能するので、略連続する机上をプリンタで区切ってユーザのパーソナルスペースを構築でき、机上のスペースを取らない。また、プリンタ２００の上側に排紙するので両側のユーザが用紙を取り上げ易く、さらに用紙の上端のみを露出し、用紙の大部分がプリンタの内部に残り内容が隠されるため、他のユーザに内容が知られ難い。
【００６５】
図１２は、実施例２にかかるプリンタの別の実施例を示す説明図である。上記では用紙Ｐの上端を露出するために、排紙トレイ２１０の深さを用紙Ｐの長さより短くしたが、図１２に示すように、排紙ローラ２１９により用紙Ｐの露出量（露出部分Ｅ）を決定してもよい。すなわち、排紙ローラ２１９により排紙する場合、この排紙ローラ２１９により用紙を拘束した状態（排紙ローラ２１９に用紙Ｐが接触しかつ排紙ローラ２１９が回転していない状態）で排紙を停止する。
【００６６】
図１２に示す（ａ）のように、排紙ローラ２１９を所定排紙位置で停止すると、この排紙ローラ２１９により用紙Ｐがその位置を保持されかつその上端が筐体２１３から露出する（露出部分Ｅ）。また、このプリンタ２００には、排紙ローラ２１９を揺動してその拘束を解く機構が設けられ、たとえば同図に示すように、筐体２１３上部のボタン２３２にロッド２３０が接続され、このロッド２３０が中心に回転軸を持つアーム２３１の端部に接続されかつ当該アーム２３１の他端が排紙ローラ２１９の回転軸に連結している。
【００６７】
用紙Ｐを取り出すときは、このボタン２３２を押すと、ロッド２３０が下がり、当該ロッド２３０がアーム２３１を回転させ、これにより排紙ローラ２１９が揺動して用紙Ｐから離れる。その結果、図１２に示す（ｂ）のように、用紙Ｐは排紙ローラ２１９による拘束力を失い、ユーザにより取り出すことができる。当該構成では、用紙Ｐの上端を露出しかつボタン２３２を押さないと用紙Ｐを取り出ないので、容易に印刷済みの用紙Ｐを他人が取り出すことを防止できる。
【００６８】
また、排紙ローラ２１９の制御により用紙Ｐの露出量を容易に決めることができる。たとえば、図１２に示す（ａ）の場合に比べて、排紙ローラ２１９の送り量を多くすることで、図１２に示す（ｃ）のように、多く用紙上端を露出できる（露出部分Ｅ２）。また、コンピュータＣからの命令により排紙ローラ２１９を駆動し、用紙Ｐを取り出すようにしてもよい（図示省略）。
【実施例３】
【００６９】
図１３は、この発明の実施例３にかかるプリンタを示す斜視図である。なお、実施例１，２と共通の構成については説明は省略している部分がある。図１４は、図１３に示したプリンタの側面図である。このプリンタ３００は、用紙の排紙方向をプリンタ３００の上段、中段、下段にそれぞれ設けた点に特徴がある。このため、両側のユーザは自分のワークスペース側から書類を容易に取ることができる。また、印刷命令を出したユーザ側に書類が排紙されることで、書類内容が隣りのユーザに知られにくい。
【００７０】
このプリンタ３００は、高さ５０ｃｍ、幅６０ｃｍ、厚さ７ｃｍ程度であるが、これに限定されない。また、プリンタ３００の両面は、内部に薄い軟質材が入った布張り面３５１になっている。これにより、ユーザはメモ３５２などを押しピンで貼り付けることができる。これにより、机上のメモボードのスペースを省略できる。また、当該面は、コルク面、フックを取り付けられるパンチングや凹凸面、付箋紙が貼れる平滑面などであってもよい。実施例１と同様に、ホワイトボードとしてもよい。
【００７１】
また、プリンタ３００の上部には、給紙トレイ３０４ａ，３０４ｂが設けられている。この給紙トレイ３０４ａ，３０４ｂには大小異なるサイズの用紙Ｐ１，Ｐ２がストックされる。また、当該プリンタ３００は上部から用紙Ｐ１，Ｐ２を排紙できる。具体的な構成は後述するが、上部から排紙することで、両側のユーザはそれぞれ自分のワークスペース側から書類を取り上げることができる。また、上部排紙時に用紙Ｐを全て排紙するのではなく、上部の排紙トレイ３１０に保持できるように、ある程度当該排紙トレイ３１０内に収まった状態で排紙する。換言すれば、用紙Ｐの上端のみが排紙トレイ３１０から露出しており、その他は排紙トレイ３１０内に収まっている。これにより、ユーザは、用紙が排紙されたことを確認できるとともに、印刷された情報を他人が見ることがない。
【００７２】
図１５は、具体的な当該プリンタの使用状態を示す説明図である。このように、連続する机上Ｄのユーザ同士の境に当該プリンタ３００を配置する。これにより、連続する机上Ｄがパーティション機能をもったプリンタ３００により分割されて、ユーザＵごとにパーソナルスペースが形成される。つぎに、当該プリンタ３００は、その両側の上段、中段、下段に排紙できるから両側のユーザＵはそれぞれ容易に書類を取ることができる。また、パーティションにより区切られておりかつ自分側に書類が排紙されるので、隣りのユーザＵに自分の書類を見られ難い。
【００７３】
また、上段から排紙する場合、用紙Ｐは、全て排紙するのではなく、上段の排紙トレイ３０４内に保持できるように、ある程度トレイ内に収まった状態で排紙する。換言すれば、用紙Ｐの上端のみ排紙トレイ３０４から露出しており、その他は排紙トレイ３０４内に収まっている。これにより、ユーザＵは、排紙されたことを確認できるとともに、印刷内容が他人が見られない。また、下段排紙口３３９，３４１から排紙することで、机上の面にスムーズに排紙できる。中段排紙口３３７，３４３は、図１５の右側のユーザのように、パーティションの下方に多くの書類や文具などがある場合、そのまま排紙できないので、ある程度の高さを有する当該中段排紙口３３７，３４３から排紙すれば、用紙Ｐをこれらに干渉させることがない。
【００７４】
図１６および図１７は、図１３および図１４に示したプリンタを示す構成図である。当該プリンタ３００は、大小異なるサイズの用紙Ｐ１，Ｐ２を給紙する給紙パス３０１，３０２を２つ有し、各給紙パス３０１，３０２には、筐体３１３上部に開口しかつ用紙Ｐをストックする給紙トレイ３０４と、給紙トレイ３０４の下部に配置されたＡＳＦローラ３０５と、ＡＳＦローラ３０５に続くガイド部３０６と、一対の用紙送りローラ３０７，３０７と、この用紙送りローラ３０７，３０７の間に配置されかつ各給紙パス３０１，３０２で共用の印刷ヘッド３０８と、その下方に設けたガイド部（群）３０９，３３５，３１８とを有する。
【００７５】
また、中段排紙部３６０と下段排紙部３６１とがガイド部（群）３０９，３３５，３１８により構成されるパス内に設けられる。中段排紙部３６０は、ガイド部３０９，３１８に設けたフラップ３３６，３４２を有し、第１排紙方向に排紙する場合は図中左側のフラップ３３６が回転してパスを中断し中段排紙口３３７に接続する（図中点線で示す）。第２排紙方向に排紙する場合、第１排紙方向のフラップ３３６は回転せずパスを構成し、第２排紙方向のフラップ３４２が回転してパスを中断し中段排紙口３４３に接続する（図中点線で示す）。
【００７６】
下段排紙部３６１は、湾曲しているガイド部３３５に設けたフラップ３３８，３４０を有し、第１排紙方向に排紙する場合は図中左側のフラップ３３８が揺動してパスを変更し下段排紙口３３９に接続する（図中点線で示す）。第２排紙方向に排紙する場合、第１排紙方向のフラップ３３９は揺動せずパスを構成し、第２排紙方向のフラップ３４０が揺動してパスを変更し下段排紙口３４１に接続する（図中点線で示す）。
【００７７】
また、筐体３１３の上段に設けた排紙トレイ３１０は異なる大小の用紙ごとに設けられ、当該排紙トレイ３１０の深さは用紙Ｐの長さより短いものとする。このようにすれば、排紙時に用紙Ｐの上端のみが筐体３１３から露出するので、ユーザは印刷したことを確認できかつ他のユーザは印刷内容を見ることができない。なお、用紙Ｐの上端のみ露出する方式は、排紙トレイ３１０の深さを用紙Ｐの長さより短くなるように設定することに限定されない。たとえば、排紙ローラ３１９により露出量を制御するようにしてもよい（実施例２の図１２参照）。
【００７８】
上記ＡＳＦローラ３０５の対向面には用紙押え３１１が設けられている。ＡＳＦローラ３０５はＡＳＦモータ３１２により駆動され、一対の用紙送りローラ３０７，３０７は用紙送りモータ３３０により駆動され、排紙ローラ３１９は排紙モータ３１４により駆動される。その他の用紙送りローラ３１７は、別の用紙送りモータ３３０により駆動される。上記複数のフラップ３３６，３３８，３４０，３４２は、それぞれ対応して設けた排紙方向制御モータ３３１により個々に駆動される。なお、ＡＳＦローラ３０５および用紙ローラ３０７などの配置および個数などは、プリンタの大きさなどにより決まるので当該実施例に限定されない。
【００７９】
前記印刷ヘッド３０８はオンデマンド型のインクジェット式であり、ノズル内部のインクを局部的に加熱し発生する気泡圧によりインクを吐出する方法、ノズル内のインクを圧電素子で加圧してインクを吐出する方法などの任意の方式を採用できる。また、印刷ヘッド３０８は、図示しないキャリッジに保持されかつ黒色および複数色のインクカートリッジを有する。
【００８０】
既述したように、前記給紙パス３０１，３０２は大小異なるサイズの用紙Ｐ１，Ｐ２ごとに２つ並列に設けられ、各給紙パス３０１，３０２は、各サイズ用の給紙トレイ３０４ａ，３０４ｂ、ＡＳＦローラ３０５ａ，３０５ｂおよび用紙送りローラ３０７ａ，３０７ｂを一組有する。すなわち、筐体３１３上部に設けた２つの給紙トレイ３０４ａ，３０４ｂに異なるサイズの用紙Ｐ１，Ｐ２をそれぞれストックしておき、印刷時にユーザが用紙Ｐを選択できる。
【００８１】
具体的には図１７に示すように、Ａ４サイズの用紙Ｐ１の給紙パス３０１と、ロール紙や、Ａ７、Ｂ６、ハガキ、写真サイズなどのＡ４よりも小さいサイズの用紙Ｐ２の給紙パス３０２とが形成され、必要に応じて印刷する書類のサイズを選択する。たとえば、Ａ４サイズの用紙Ｐ１は通常の書類作成に用いるが、それより小さいサイズの用紙Ｐ２は、メモ程度の情報を出力するのに用いる。このため、小さいサイズの用紙Ｐ２は、大きいサイズの用紙Ｐ１の半分以下であるのが好ましい。たとえば、小さいサイズの用紙Ｐ２は、他人に渡すための連絡事項を印刷したり、インターネットのＵＲＬ、電子メールアドレス、住所または居所、電話番号、ＦＡＸ番号、簡単な地図などを印刷するのに好適である。
【００８２】
また、両方の大小の用紙Ｐ１，Ｐ２は同一の印刷ヘッド３０８により印刷される。図１７に示すように、印刷ヘッド３０８を有するキャリッジ３１５は、給紙パス３０１，３０２の方向に対して直角な方向に設けられたガイド軸３１６により、左右移動可能となる。移動方式は、ヘッド移動モータと、その回転を前記ガイド軸に平行に配置するとともにその一部をキャリッジ３１５に固定してあるタイミングベルトとによりおこなう。このほか、ボールネジのナット部にキャリッジ３１５を固定し、ネジをモータにより回転制御するようにしてもよい（図示省略）。このように、印刷ヘッド３０８の移動範囲を２つの用紙Ｐ１，Ｐ２の給紙パス３０１，３０２に渡り設ければ、一つのヘッドで２つの用紙Ｐ１，Ｐ２に印刷できる。また、大小の用紙Ｐ１，Ｐ２に対して同時に印刷をおこなうこともできる。
【００８３】
当該プリンタでは、その各部を統轄制御するため、ＣＰＵ３２１、ＲＯＭ３２２、主記憶装置として働くＲＡＭ３２３とがバスを介して接続され、コンピュータ構成の制御機構であるプリントコントローラ３２０を構成する。
【００８４】
コンピュータＣから送られてきた印刷命令は、インタフェース装置３２４からバスをを介して、プリントコントローラ３２０に伝えられる。プリントコントローラ３２０は、印刷ヘッド３０８を制御するとともに、ＡＳＦモータ３１２や用紙送りモータ３３０の駆動制御などをおこなう。また、プリントコントローラ３２０は、排紙方向を選択制御する排紙方向制御モータ３３１を駆動制御する。
【００８５】
図１８は、このプリンタ３００の動作を示すフローチャートである。このプリンタ３００では、あらかじめ前記２つの異なるサイズの給紙トレイ３０４ａ，３０４ｂに２つの異なる用紙Ｐ１，Ｐ２をストックしておく。つぎに、ユーザは自分のコンピュータＣから所望の書類の印刷命令をおこなう（ステップＳ１）。このとき、コンピュータＣの印刷画面には、所定の用紙Ｐ（給紙トレイ３０４）を選択するボタンが表示され、ユーザはその画面において印刷する用紙を選択する（ステップＳ２）。
【００８６】
さらに、ユーザは、コンピュータＣの排紙位置画面において、排紙する位置（上段、中段、下段のいずれか）を選択する（ステップＳ３）。一方、プリンタ３００では、当該プリンタ３００を使用するユーザによりまたはユーザ情報に基づき排紙方向（第１排紙方向または第２排紙方向を選択）を選択する（ステップＳ４）。排紙位置と排紙方向が選択されたら、その排紙位置において排紙方向に用紙Ｐを排紙できるように該当するフラップ３３６，３３８，３４０，３４２が回転する。
【００８７】
ここで、ユーザがＡ４の用紙Ｐ１を選択した場合、プリンタ３００のＡ４用紙側の第１給紙パス３０１のＡＳＦローラ３０５ａ、用紙送りローラ３０７ａが駆動制御される。また、印刷ヘッド３０８の印刷領域Ｗ１が第１の給紙パス３０１を含んだ領域のみとなる。一方、ユーザがロール紙Ｐ２を選択した場合、プリンタ３００のロール紙側の第２の給紙パス３０２のＡＳＦローラ３０５ｂ、用紙送りローラ３０７ｂが駆動制御される。
【００８８】
また、印刷ヘッド３０８の印刷領域Ｗ２が第２の給紙パス３０２を含んだ領域のみとなる。また、ユーザがＡ４の用紙Ｐ１とロール紙Ｐ２との両方を選択した場合、第１の給紙パス３０１および第２の給紙パス３０２の両方のＡＳＦローラ３０５ａ，３０５ｂ、用紙送りローラ３０７ａ，３０７ｂが駆動制御される。また、印刷ヘッド３０８の印刷領域Ｗ３が第１給紙パス３０１および第２給紙パス３０２を含んだ領域となる。
【００８９】
給紙パス３０１，３０２に沿って送られた用紙Ｐは、印刷ヘッド３０８により所定内容を印刷され、ガイド部３０６から下に移動する。ここで、第１排紙方向の中段のフラップ３３６が選択されている場合（図中点線で示す）、当該フラップ３３６は、このガイド部３０６から降りてくる用紙Ｐを第１排紙方向の中段排紙口３３７にガイドして排紙する。一方、当該フラップ３３６が選択されていない場合、ガイド部３０６から降りてきた用紙Ｐはそのまま下方に移動する。
【００９０】
つぎに、第１排紙方向の下段のフラップ３３８が選択されている場合（図中点線で示す）、当該フラップ３３８は、このガイド部３０９から降りてくる用紙Ｐを第１排紙方向の下段排紙口３３９にガイドして排紙する。一方、当該フラップ３３８が選択されていない場合、ガイド部３０９から降りてきた用紙Ｐはそのまま湾曲したガイド部３３５にて反転移動する。また、第２排紙方向の下段のフラップ３４０が選択されている場合（図中点線で示す）、当該フラップ３４０は、このガイド部３３５から送られてくる用紙Ｐを第２排紙方向の下段排紙口３４１にガイドして排紙する。一方、当該フラップ３４０が選択されていない場合、ガイド部３３５から送られてきた用紙Ｐはそのまま反転し上方に移動する。
【００９１】
そして、第２排紙方向の中段のフラップ３４２が選択されている場合（図中点線で示す）、当該フラップ３４２は、このガイド部３１８から上ってくる用紙Ｐを第２排紙方向の中段排紙口３４３にガイドして排紙する。一方、当該フラップ３４２が選択されていない場合、ガイド部３１８から上がってきた用紙Ｐはそのまま上方に移動する。
【００９２】
上方に送られてきた用紙Ｐは、そのまま上方に送られて排紙トレイ３１０に排紙される。この排紙時、用紙Ｐはその上端のみ筐体３１３から露出した状態で排紙トレイ３１０内にストックされる。なお、ロール紙Ｐ２の場合、図示しないカッターにより切断された状態で排紙される。上端のみ露出することで、排紙されたことを認識できかつ他のユーザが書類の内容を見るのを防止できる。
【００９３】
以上のプリンタ３００は、パーティションとして機能するので、略連続する机上をプリンタで区切ってユーザのパーソナルスペースを構築でき、机上のスペースを取らない。また、印刷を実行しているユーザ側に排紙方向を選択できるので、印刷した用紙を取り易くかつ反対側のユーザに内容が知られ難い。さらに、プリンタ３００の上側に排紙するので両側のユーザが用紙を取り上げ易く、さらに用紙の上端のみを露出するので他のユーザに内容が知られ難い。
【図面の簡単な説明】
【００９４】
【図１】この発明の実施例１にかかるプリンタを示す斜視図。
【図２】この発明の実施例１にかかるプリンタを示す斜視図。
【図３】具体的な当該プリンタの使用状態を示す説明図。
【図４】図１〜図３に示したプリンタを示す構成図。
【図５】図１〜図３に示したプリンタを示す構成図。
【図６】このプリンタの動作を示すフローチャート。
【図７】この発明の実施例２にかかるプリンタを示す斜視図。
【図８】具体的な当該プリンタの使用状態を示す説明図。
【図９】図７および図８に示したプリンタを示す構成図。
【図１０】図７および図８に示したプリンタを示す構成図。
【図１１】このプリンタの動作を示すフローチャート。
【図１２】実施例２にかかるプリンタの別の実施例を示す説明図。
【図１３】この発明の実施例３にかかるプリンタを示す斜視図。
【図１４】図１３に示したプリンタの側面図。
【図１５】具体的な当該プリンタの使用状態を示す説明図。
【図１６】図１３および図１４に示したプリンタを示す構成図。
【図１７】図１３および図１４に示したプリンタを示す構成図。
【図１８】このプリンタの動作を示すフローチャート。
【符号の説明】
【００９５】
１００  プリンタ、７  排紙口、１０１，１０２  給紙パス、１０３  筐体、１０４  給紙トレイ、１０８  印刷ヘッド、１１０  フラップ
【図１】
2005280177.tif 000003
【図２】
2005280177.tif 000004
【図３】
2005280177.tif 000005
【図４】
2005280177.tif 000006
【図５】
2005280177.tif 000007
【図６】
2005280177.tif 000008
【図７】
2005280177.tif 000009
【図８】
2005280177.tif 000010
【図９】
2005280177.tif 000011
【図１０】
2005280177.tif 000012
【図１１】
2005280177.tif 000013
【図１２】
2005280177.tif 000014
【図１３】
2005280177.tif 000015
【図１４】
2005280177.tif 000016
【図１５】
2005280177.tif 000017
【図１６】
2005280177.tif 000018
【図１７】
2005280177.tif 000019
【図１８】
2005280177.tif 000020